(57)【要約】【課題】伝動ホイールシステムがロックされない駆動キャリアを提供する。【解決手段】  本発明は、二回転方向に運動エネルギーを入力する入力装置（１１）、入力された運動エネルギーを一定回転方向に出力する伝動装置（１３）、クラッチ装置（７０）を介して駆動される負荷ホイールシステム（１５）を備えている。本発明では、負荷ホイールシステムが逆走して反転駆動をするとき、クラッチ装置（７０）を通して負荷を切離すことによって、伝動ホイールシステムがロックされることを避けることができる。【選択図】図９
2014181027.tif 000002
【特許請求の範囲】
【請求項１】
走者による入力方向を選択可能な２方向入力の入力装置（１１）と、
前記入力装置から入力端に入力された運動エネルギーを、出力端から一定の回転方向へ出力するように構成された、２方向入力及び１方向出力の伝動装置（１３）と、
締結又はリリースの機能を有するクラッチ装置（７０）と、
前記伝動装置（１３）の出力端により、前記クラッチ装置を介して駆動される負荷ホイールシステム（１５）と、
機体（６００）と、
を備える２方向入力及び１方向出力駆動の駆動キャリアであって、
前記負荷ホイールシステム（１５）が逆走して反転駆動されるとき、前記クラッチ装置（７０）が前記負荷ホイールシステム（１５）を切り離すことによって、前記伝動装置（３）の伝動ホイールシステムは剛性的にロックされず、
前記入力装置（１１）は、足踏みを通して、正回転又は逆回転する二方向回転駆動の入力又は往復駆動の入力により、正回転又は逆回転する二方向回転出力機構であって、ペダル、クランク、及び二方向回転する伝動ホイールシステムによって構成され、若しくは、ハンドル、ハンドグリップ及び二方向回転する伝動ホイールシステムによって構成され、又は、人力による二方向回転駆動装置によって構成され、
前記入力装置（１１）の入力端を駆動するための第一駆動回転方向の運動エネルギー及び第二駆動回転方向の運動エネルギーは、足の力であり、
前記第一駆動回転方向と前記第二駆動回転方向は逆方向であり、
前記伝動装置（１３）は、前記入力装置（１１）から入力された互いに異なる回転方向の運動エネルギーによって駆動され、一定回転方向の運動エネルギーを出力し、
前記伝動装置（１３）の出力端及び負荷ホイールシステム（１５）の入力端との間にクラッチ装置（７０）が設置され、
前記伝動装置（１３）内部の伝動ユニットは、歯車セット、磨擦ホイールシステム、チェーン及びチェーンホイールシステム、ベルト及びベルトプーリシステム、伝動クランク及びホイールシステム、流体伝動装置、及び電磁力伝動装置のうちの一種又はそれ以上によって構成され、
前記伝動装置（１３）の出力端は、前記クラッチ装置（７０）を駆動し、
前記伝動装置（１３）が、前記第一駆動回転方向又は前記第二駆動回転駆動方向に駆動されるとき、出力端に対する入力端の一定回転方向の速度比は、同じ若しくは異なる、又は可変であり、
前記伝動装置（１３）では、
第一回転方向と第二回転方向の回転方向は逆であり、
前記第一回転方向に入力端が駆動されるとき、第一伝動ホイールシステムを経て出力端が駆動され、前記第一回転方向へ出力することができ、
前記第二回転方向に入力端が駆動されるとき、第二伝動ホイールシステムを経て出力端が駆動され、第一回転方向へ出力することができ、
前記第一伝動ホイールシステムと前記第二伝動ホイールシステムとの間に設けられた単方向伝動装置により、前記第一伝動ホイールシステムが第一回転方向へ入力し、第一回転方向に出力するとき、前記第二伝動ホイールシステムに干渉されず、
前記第二伝動ホイールシステムと前記第一伝動ホイールシステムとの間に設けられた単方向伝動装置により、前記第二伝動ホイールシステムが第二回転方向へ入力し、第一回転方向に出力するとき、前記第一伝動ホイールシステムに干渉されず、
前記伝動装置（１３）の出力端は、クラッチ装置（７０）を径方向又は軸方向に駆動することにより、負荷ホイールシステム（１５）が逆走して反転駆動をするとき、クラッチ装置（７０）を通して負荷を切離すことができ、
前記クラッチ装置（７０）は、トルク若しくは遠心力により作動され、又は、人力、機械力、空気力、流力、若しくは電磁力によって駆動され、締結又はリリースする機構装置であり、
前記負荷ホイールシステム（１５）は、前記クラッチ装置（７０）の出力端によって駆動され、前記負荷ホイールシステム（１５）と結合するキャリアを駆動することを特徴とする駆動キャリア。
【請求項２】
前記入力装置（１１）と前記伝動装置（１３）との間に前置伝動装置（１２）が追加的に設置されており、
前記前置伝動装置（１２）は、固定速比又は可変速比の歯車式、ベルト式、摩擦式等のうちの１つ以上によって構成され、
前記前置伝動装置（１２）は、前記入力装置（１１）によって駆動され、前記伝動装置（１３）を駆動し、
前記伝動装置（１３）は、前記入力装置（１１）に換えて前記前置伝動装置（１２）から入力された互いに異なる回転方向の運動エネルギーによって駆動され、一定回転方向の運動エネルギーを出力する
ことを特徴とする請求項１に記載の駆動キャリア。
【請求項３】
前記伝動装置（１３）の出力端と前記クラッチ装置（７０）との間に後段伝動装置（１４）が追加的に設置されており、
前記伝動装置（１３）の出力端は、前記クラッチ装置（７０）に換えて前記後段伝動装置（１４）を駆動し、
前記後段伝動装置（１４）の出力端は、前記クラッチ装置（７０）を駆動し、
前記伝動装置（１３）の出力端は、前記後段伝動装置（１４）の出力端を駆動して、前記クラッチ装置（７０）を径方向又は軸方向に駆動することにより、前記クラッチ装置（７０）を前記負荷ホイールシステム（１５）から切り離すことができ、
前記後段伝動装置（１４）は、固定速比又は可変速比の歯車セット、ベルト式、及び摩擦式のうちの１つ以上の伝動ユニットによって構成される
ことを特徴とする請求項１に記載の駆動キャリア。
【請求項４】
前記クラッチ装置（７０）と前記負荷ホイールシステム（１５）の間に後段伝動装置（１４）が追加的に設置されており、
前記クラッチ装置（７０）の出力端は、前記後段伝動装置（１４）を駆動し、
前記後段伝動装置（１４）の出力端は、前記負荷ホイールシステム（１５）を駆動し、
前記後段伝動装置（１４）は、固定速比又は可変速比の歯車セット、ベルト式、及び摩擦式のうちの１つ以上の伝動ユニットによって構成され、
前記負荷ホイールシステム（１５）は、前記クラッチ装置（７０）の出力端に換えて前記後段伝動装置（１４）の出力端によって駆動され、前記負荷ホイールシステム（１５）と結合する前記機体を駆動する
ことを特徴とする請求項１に記載の駆動キャリア。
【請求項５】
前記入力装置（１１）と前記伝動装置（１３）との間に前置伝動装置（１２）が追加的に設置されており、
前記前置伝動装置（１２）は、固定速比又は可変速比の歯車式、ベルト式、摩擦式等のうちの１つ又は１つ以上から成る回転伝動構造によって構成され、
前記前置伝動装置（１２）は、前記入力装置（１１）によって駆動され、前記伝動装置（１３）を駆動し、
前記伝動装置（１３）は、前記入力装置（１１）に換えて前記前置伝動装置（１２）から入力された互いに異なる回転方向の運動エネルギーによって駆動され、一定回転方向の運動エネルギーを出力する
ことを特徴とする請求項３に記載の駆動キャリア。
【請求項６】
前記入力装置（１１）と前記伝動装置（１３）との間に前置伝動装置（１２）が追加的に設置されており、
前記前置伝動装置（１２）は、固定速比又は可変速比の歯車式、ベルト式、摩擦式等のうちの１つ又は１つ以上から成る回転伝動構造によって構成され、
前記前置伝動装置（１２）は、前記入力装置（１１）によって駆動され、前記伝動装置（１３）を駆動し、
前記伝動装置（１３）は、前記入力装置（１１）に換えて前記前置伝動装置（１２）から入力された互いに異なる回転方向の運動エネルギーによって駆動され、一定回転方向の運動エネルギーを出力する
ことを特徴とする請求項４に記載の駆動キャリア。
【請求項７】
前記クラッチ装置（７０）の入力端には、回転運動エネルギーを前記クラッチ装置（７０）の入力端へ伝達する単方向伝動装置（８０）が設置されている
ことを特徴とする請求項１〜６のいずれか一項に記載の駆動キャリア。
【請求項８】
前記負荷ホイールシステム（１５）の入力端には、回転運動エネルギーを負荷ホイールシステム（１５）の入力端へ伝達する単方向伝動装置（８０）が設置されている
ことを特徴とする請求項１〜６のいずれか一項に記載の駆動キャリア。
【発明の詳細な説明】
【技術分野】
【０００１】
本発明は、一種の足踏みによる正回転又は逆回転する二方向駆動の駆動キャリアに関する。
【背景技術】
【０００２】
足踏み自転車の走者は、周期的に定方向に踏む運動により、固定的に関連筋肉や関節を使っている。即ち、走者の体の筋肉と関節は常に加力と受力状態である一方、他の筋肉と関節は常に不加力と不受力状態であり、全体から言えばアンバランスである。このため、走者は疲れ易く、また長期間にわたって踏み続けるために、スポーツ傷害を来たす。また、従来の二方向入力／単方向出力装置を用いた足踏み自転車は、不可逆伝動特性を備えっているために、逆走するとき、伝動輪がロックされることが欠点である。
【発明の概要】
【発明が解決しようとする課題】
【０００３】
本発明は二方向入力／単方向出力のホイールシステムの負荷側が反転駆動出来ないこと（例えば自転車は逆走出来ないこと）を解決する。
【課題を解決するための手段】
【０００４】
本発明は、二回転方向に入力する入力装置を備え、その出力端は伝動装置の入力端へ伝送し、また伝動装置の出力端により一定回転方向へ出力し、クラッチ装置（７０）を経て、負荷ホイールシステムを駆動し、走者は駆動入力方向の選択ができるので、異なる方向に入力駆動するとき、同じ又は異なる速度比の一定回転方向へ出力する負荷ホイールシステムを駆動し、及び負荷ホイールシステムが逆走して反転駆動をするとき、クラッチ装置（７０）を通して負荷を切離すことによって、駆動キャリアの伝動ホイールシステムがロックされることを避ける。
【図面の簡単な説明】
【０００５】
【図１】本発明の一実施形態による駆動キャリアの基本構成を示すブロック図である。
【図２】図１の入力装置（１１）と伝動装置（１３）との間に前置伝動装置（１２）が追加設置された駆動キャリアを示すブロック模式図である。
【図３】図１の伝動装置（１３）の出力端に後段伝動装置（１４）を追加設置し、更にクラッチ装置（７０）を設置することにより、負荷ホイールシステム（１５）を駆動する駆動キャリアを示すブロック模式図である。
【図４】図１の伝動装置（１３）の出力端にクラッチ装置（７０）を追加設置し、更に後段伝動装置（１４）を設置することにより、負荷ホイールシステム（１５）を駆動する駆動キャリアを示すブロック模式図である。
【図５】図３の入力装置（１１）と伝動装置（１３）との間に前置伝動装置（１２）が追加設置された駆動キャリアを示すブロック模式図である。
【図６】図４の入力装置（１１）と伝動装置（１３）との間にの出力端に前置伝動装置（１２）が追加設置された駆動キャリアを示すブロック模式図である。
【図７】図１の伝動装置（１３）の出力端とクラッチ装置（７０）の入力端との間に単方向伝動装置（８０）が追加設置された駆動キャリアを示すブロック模式図である。
【図８】図２の伝動装置（１３）の出力端とクラッチ装置（７０）の入力端との間に単方向伝動装置（８０）が追加設置された駆動キャリアを示すブロック模式図である。
【図９】図３の後段伝動装置（１４）の出力端とクラッチ装置（７０）の入力端との間に単方向伝動装置（８０）が追加設置された駆動キャリアを示すブロック模式図である。
【図１０】図４の伝動装置（１３）の出力端とクラッチ装置（７０）の入力端との間に単方向伝動装置（８０）が追加設置された駆動キャリアを示すブロック模式図である。
【図１１】図５の後段伝動装置（１４）の出力端とクラッチ装置（７０）の入力端との間に単方向伝動装置（８０）が追加設置された駆動キャリアを示すブロック模式図である。
【図１２】図６の伝動装置（１３）の出力端とクラッチ装置（７０）の入力端との間に単方向伝動装置（８０）が追加設置された駆動キャリアを示すブロック模式図である。
【図１３】図１のクラッチ装置（７０）の出力端と負荷ホイールシステム（１５）の入力端との間に単方向伝動装置（８０）が追加設置された駆動キャリアを示すブロック模式図である。
【図１４】図２のクラッチ装置（７０）の出力端と負荷ホイールシステム（１５）の入力端との間に単方向伝動装置（８０）が追加設置された駆動キャリアを示すブロック模式図である。
【図１５】図３のクラッチ装置（７０）出力端と負荷ホイールシステム（１５）入力端との間に単方向伝動装置（８０）が追加設置された駆動キャリアを示すブロック模式図である。
【図１６】図４の後段伝動装置（１４）の出力端と負荷ホイールシステム（１５）の入力端との間に単方向伝動装置（８０）が追加設置された駆動キャリアを示すブロック模式図である。
【図１７】図５のクラッチ装置（７０）出力端と負荷ホイールシステム（１５）入力端との間に単方向伝動装置（８０）が追加設置された駆動キャリアを示すブロック模式図である。
【図１８】図６の後段伝動装置（１４）の出力端と負荷ホイールシステム（１５）の入力端との間に単方向伝動装置（８０）が追加設置された駆動キャリアを示すブロック模式図である。
【発明を実施するための形態】
【０００６】
本発明の一実施形態を図面に基づいて説明する。本実施形態では、一種の足踏みによる正回転又は逆回転する二方向の入力装置の入力端を駆動してから、更に入力装置の出力端により、伝動装置の入力端へ伝送し、また伝動装置の出力端により一定回転方向へ出力し、クラッチ装置（７０）を経て、負荷ホイールシステムを駆動し、及び負荷ホイールシステムが逆走して反転駆動をするとき、クラッチ装置（７０）を通して負荷を切離すことによって、駆動キャリアの伝動ホイールシステムがロックされることを避ける。
【０００７】
本実施形態は足踏みのキャリア、又は電動および足踏混合キャリア、又は電動および足踏併用の補助キャリア、特に二方向・単方向駆動の足踏み自転車（ｂｉｃｙｃｌｅ）に応用し、二方向踏みによって、使う筋肉群を拡大また変化させ、下記の利点を達成する
（１）局部の筋肉及び関節の過度な使用により傷害を来たすことを減らす。
（２）あまり使わない筋肉群及び関節を訓練する。
【０００８】
図１は本実施形態の駆動キャリアの基本構成を示すブロック図である。
図１に示すように、駆動キャリアの構成を示す模式図は、足踏キャリアのコンポーネント及び機体（６００）を備え、その主な構成は以下の通りである。
入力装置（１１）は、足踏みを通して、正回転又は逆回転する二方向回転駆動の入力又は往復駆動の入力により、正回転又は逆回転する二方向回転出力機構である。即ち、ペダル、クランク及び二方向回転する伝動ホイールシステムによって構成され、又はハンドル、ハンドグリップ及び二方向回転する伝動ホイールシステムによって構成される。また入力装置（１１）は、人力により二方向回転駆動装置によって構成されることを含む。
第一駆動回転方向の運動エネルギー及び第二駆動回転方向の入力運動エネルギーは、足の力であり、入力装置（１１）の入力端を駆動する。
第一駆動回転方向と第二駆動回転方向は、逆方向である。
【０００９】
伝動装置（１３）は、入力装置（１１）の回転方向が異なる運動エネルギーによって駆動され、また一定回転方向の運動エネルギーを出力する。また、伝動装置（１３）の出力端と負荷ホイールシステム（１５）の入力端との間にクラッチ装置（７０）が設置される。伝動装置（１３）は、クラッチ装置（７０）を通して負荷を切離すことによって、負荷ホイールシステム（１５）が逆走して反転駆動をするとき、駆動キャリアがロックされることを避ける。
【００１０】
伝動装置（１３）内部の伝動ユニットは、歯車セット、磨擦ホイールシステム、チェーン及びチェーンホイールシステム、ベルト及びベルトプーリシステム、伝動クランク及びホイールシステム、流体伝動装置、電磁力伝動装置の一種又はそれ以上によって構成される。
【００１１】
伝動装置（１３）の出力端は、クラッチ装置（７０）を駆動する。
伝動装置（１３）では、回転方向が異なる第一駆動回転方向と第二駆動回転駆動方向を駆動するとき、一定回転方向の出力端に対する入力端の速度比は、同じか異なる又は可変速比である。
【００１２】
伝動装置（１３）の主な伝動構造及び作動特性は、以下の通りである。
第一回転方向と第二回転方向の回転方向は逆である。
第一回転方向により入力端を駆動するとき、第一伝動ホイールシステムを経て出力端を駆動し、第一回転方向へ出力することができる。
第二回転方向により入力端を駆動するとき、第二伝動ホイールシステムを経て出力端を駆動し、第一回転方向へ出力することができる。
第一伝動ホイールシステムと第二伝動ホイールシステムとの間に単方向伝動装置を設けることにより、第一伝動ホイールシステムが第一回転方向へ入力し、第一回転方向により出力するとき、第二伝動ホイールシステムの干渉を避ける。
第二伝動ホイールシステムと第一伝動ホイールシステムとの間に単方向伝動装置を設けることにより、第二伝動ホイールシステムが第二回転方向へ入力し第一回転方向により出力するとき、第一伝動ホイールシステムの干渉を避ける。
【００１３】
伝動装置（１３）の出力端は、クラッチ装置（７０）を径方向又は軸方向に駆動することにより、負荷ホイールシステム（１５）が逆走して反転駆動をするとき、クラッチ装置（７０）を通して負荷を切離すことによって、二回転方向の入力また回転方向不変の出力であるホイールシステム構造が剛性的にロックされるのを避けることができる。
【００１４】
クラッチ装置（７０）は、トルク又は遠心力により作動され、又は人力、機械力、空気力、流力又は電磁力によって駆動され、締結又はリリースする機構装置である。
負荷ホイールシステム（１５）は、クラッチ装置（７０）の出力端によって駆動され、更に負荷ホイールシステム（１５）と結合するキャリアを駆動する。
【００１５】
駆動キャリアは、足踏みを通して入力装置（１１）を駆動し、第一駆動回転方向又は回転方向が異なる第二回転駆動方向を駆動するとき、入力装置（１１）の出力端により回転運動エネルギーを出力し、増設される前置伝動装置（１２）を経て伝動装置（１３）の入力端へ伝送する。また、伝動装置（１３）の出力端により出力された一定回転方向の回転運動エネルギーは、クラッチ装置（７０）へ出力され、クラッチ装置（７０）の出力端により負荷ホイールシステム（１５）を駆動してから、更に負荷ホイールシステム（１５）と結合するキャリアを駆動する。
【００１６】
図２は図１の入力装置（１１）と伝動装置（１３）との間に前置伝動装置（１２）が追加設置された駆動キャリアを示すブロック模式図である。
図２に示すように、駆動キャリアの構成を示す模式図は、足踏キャリアのコンポーネント及び機体（６００）を備え、その主な構成は以下の通りである。
【００１７】
入力装置（１１）は、足踏みを通して、正回転又は逆回転する二方向回転駆動の入力又は往復駆動の入力により、正回転又は逆回転する二方向回転出力機構、即ちペダル、クランク及び二方向回転する伝動ホイールシステムによって構成され、又はハンドル、ハンドグリップ及び二方向回転する伝動ホイールシステムによって構成される。入力装置（１１）は人力により二方向回転駆動装置によって構成されることを含む。
第一駆動回転方向の運動エネルギー及び第二駆動回転方向の入力運動エネルギーは、足の力であり、入力装置（１１）の入力端を駆動する。
第一駆動回転方向と第二駆動回転方向は逆方向である。
【００１８】
前置伝動装置（１２）は、固定速比又は可変速比の歯車式、ベルト式、摩擦式等の一種又はそれ以上の回転伝動構造によって構成されることを含む。
前置伝動装置（１２）は入力装置（１１）によって駆動され、その出力する回転運動エネルギーにより伝動装置（１３）を駆動する。
【００１９】
伝動装置（１３）は、前置伝動装置（１２）の回転方向が異なる運動エネルギーによって駆動され、また一定回転方向の運動エネルギーを出力する。また、伝動装置（１３）の出力端と負荷ホイールシステム（１５）の入力端との間にクラッチ装置（７０）が設置される。伝動装置（１３）は、クラッチ装置（７０）を通して負荷を切離すことによって、負荷ホイールシステム（１５）が逆走して反転駆動をするとき、駆動キャリアがロックされることを避けることができる。
【００２０】
伝動装置（１３）内部の伝動ユニットは、歯車セット、磨擦ホイールシステム、チェーン及びチェーンホイールシステム、ベルト及びベルトプーリシステム、伝動クランク及びホイールシステム、流体伝動装置、電磁力伝動装置の一種又はそれ以上によって構成される。
伝動装置（１３）の出力端によりクラッチ装置（７０）を駆動する。
伝動装置（１３）が回転方向が異なる第一駆動回転方向と第二駆動回転駆動方向を駆動するとき、出力端に対する入力端の一定回転方向の速度比は、同じか異なる又は可変速比である。
【００２１】
伝動装置（１３）の主な伝動構造及び作動特性は以下の通りである。
第一回転方向と第二回転方向の回転方向は逆である。
第一回転方向により入力端を駆動するとき、第一伝動ホイールシステムを経て出力端を駆動し、第一回転方向へ出力することができる。
第二回転方向により入力端を駆動するとき、第二伝動ホイールシステムを経て出力端を駆動し、第一回転方向へ出力することができる。
第一伝動ホイールシステムと第二伝動ホイールシステムとの間に単方向伝動装置を設けることにより、第一伝動ホイールシステムが第一回転方向へ入力し、第一回転方向により出力するとき、第二伝動ホイールシステムの干渉を避ける。
第二伝動ホイールシステムと第一伝動ホイールシステムとの間に単方向伝動装置を設けることにより、第二伝動ホイールシステムが第二回転方向へ入力し第一回転方向により出力するとき、第一伝動ホイールシステムの干渉を避ける。
【００２２】
伝動装置（１３）の出力端は、クラッチ装置（７０）を径方向又は軸方向に駆動することにより、負荷ホイールシステム（１５）が逆走して反転駆動をするとき、クラッチ装置（７０）を通して負荷を切離すことによって、二回転方向の入力また回転方向不変の出力であるホイールシステム構造が剛性的にロックされるのを避けることができる。
【００２３】
クラッチ装置（７０）は、トルク又は遠心力により作動され、人力、機械力、空気力、流力又は電磁力によって駆動され、締結又はリリースする機構装置である。
負荷ホイールシステム（１５）は、クラッチ装置（７０）の出力端によって駆動され、更に負荷ホイールシステム（１５）と結合するキャリアを駆動する。
【００２４】
駆動キャリアは、足踏みを通して正回転又は逆回転に駆動する入力装置（１１）の出力端により回転運動エネルギーを出力し、伝動装置（１３）へ入力し、伝動装置（１３）の出力端により一定回転方向へ出力する。その定方向に出力する回転運動エネルギーは、増設される後段伝動装置（１４）を経てクラッチ装置（７０）を駆動し、またクラッチ装置（７０）の出力端により負荷ホイールシステム（１５）を駆動してから、更に負荷ホイールシステム（１５）と結合するキャリアを駆動する。
【００２５】
図３は、図１の伝動装置（１３）の出力端に後段伝動装置（１４）を追加設置し、更にクラッチ装置（７０）を設置することにより、負荷ホイールシステム（１５）の駆動装置を駆動するブロック模式図である。
図３に示すように、駆動キャリアの構成を示す模式図は、足踏キャリアのコンポーネント及び機体（６００）を備え、その主な構成は以下の通りである。
【００２６】
入力装置（１１）は、足踏みを通して、正回転又は逆回転する二方向回転駆動の入力又は往復駆動の入力により、正回転又は逆回転する二方向回転出力機構である。即ち、ペダル、クランク及び二方向回転する伝動ホイールシステムによって構成され、又はハンドル、ハンドグリップ及び二方向回転する伝動ホイールシステムによって構成される。また、入力装置（１１）は、人力により二方向回転駆動装置によって構成されることを含む。
【００２７】
第一駆動回転方向の運動エネルギー及び第二駆動回転方向の入力運動エネルギーは、足の力であり、入力装置（１１）の入力端を駆動する。
第一駆動回転方向と第二駆動回転方向は逆方向である。
【００２８】
伝動装置（１３）は、前置伝動装置（１２）を経て入力装置（１１）の回転方向が異なる運動エネルギーによって駆動され、また一定回転方向の運動エネルギーを出力する。伝動装置（１３）の出力端は、後段伝動装置（１４）を駆動し、後段伝動装置（１４）の出力端はクラッチ装置（７０）を駆動し、更にクラッチ装置（７０）の出力端は負荷ホイールシステム（１５）を駆動する。また、クラッチ装置（７０）を通して負荷を切離すことによって、負荷ホイールシステム（１５）が逆走して反転駆動をするとき、駆動キャリアがロックされることを避ける。
【００２９】
伝動装置（１３）内部の伝動ユニットは、歯車セット、磨擦ホイールシステム、チェーン及びチェーンホイールシステム、ベルト及びベルトプーリシステム、伝動クランク及びホイールシステム、流体伝動装置、電磁力伝動装置の一種又はそれ以上によって構成される。
【００３０】
伝動装置（１３）の出力端により後段伝動装置（１４）を駆動し、更に後段伝動装置（１４）の出力端を経てクラッチ装置（７０）を駆動する。
伝動装置（１３）が回転方向が異なる第一駆動回転方向と第二駆動回転駆動方向を駆動するとき、出力端に対する入力端の一定回転方向の速度比は、同じか異なる又は可変速比である。
【００３１】
伝動装置（１３）の主な伝動構造及び作動特性は以下の通りである。
第一回転方向と第二回転方向の回転方向は逆である。
第一回転方向により入力端を駆動するとき、第一伝動ホイールシステムを経て出力端を駆動し、第一回転方向へ出力する。
第二回転方向により入力端を駆動するとき、第二伝動ホイールシステムを経て出力端を駆動し、第一回転方向へ出力する。
第一伝動ホイールシステムと第二伝動ホイールシステムとの間に単方向伝動装置を設けることにより、第一伝動ホイールシステムが第一回転方向へ入力し、第一回転方向により出力するとき、第二伝動ホイールシステムの干渉を避ける。
第二伝動ホイールシステムと第一伝動ホイールシステムとの間に単方向伝動装置を設けることにより、第二伝動ホイールシステムが第二回転方向へ入力し第一回転方向により出力するとき、第一伝動ホイールシステムの干渉を避ける。
【００３２】
伝動装置（１３）の出力端は、後段伝動装置（１４）の出力端を駆動し、クラッチ装置（７０）を径方向又は軸方向に駆動することにより、その出力端が逆走して反転駆動をするとき、クラッチ装置（７０）を通して負荷を切離すことによって、二回転方向の入力また回転方向不変の出力であるホイールシステム構造が剛性的にロックされるのを避けることができる。
【００３３】
クラッチ装置（７０）は、トルク又は遠心力により作動され、人力、機械力、空気力、流力又は電磁力によって駆動され、締結又はリリースする機構装置である。
後段伝動装置（１４）は、固定速比又は可変速比の歯車セット、ベルト式、摩擦式等の一種又はそれ以上によって構成され、伝動装置（１３）に駆動され、またその出力端によりクラッチ装置（７０）を駆動する。
【００３４】
負荷ホイールシステム（１５）は、クラッチ装置（７０）の出力端によって駆動され、更に負荷ホイールシステム（１５）と結合するキャリアを駆動する。
駆動キャリアは、足踏みを通して正回転又は逆回転することにより入力装置（１１）を駆動し、また出力端により回転運動エネルギーを出力し、また伝動装置（１３）の入力端へ伝送し、また伝動装置（１３）の出力端により一定回転方向へ出力し、クラッチ装置（７０）の入力端を駆動し、またクラッチ装置（７０）の出力端は更に増設される後段伝動装置（１４）を経て負荷ホイールシステム（１５）を駆動してから、更に負荷ホイールシステム（１５）と結合するキャリアを駆動する。
【００３５】
図４は、図１の伝動装置（１３）の出力端にクラッチ装置（７０）を追加設置し、更に後段伝動装置（１４）を設置することにより、負荷ホイールシステム（１５）の駆動装置を駆動するブロック模式図である。
図４に示すように、駆動キャリアの構成を示す模式図は、足踏キャリアのコンポーネント及び機体（６００）を備え、その主な構成は以下の通りである。
【００３６】
入力装置（１１）は、足踏みを通して、正回転又は逆回転する二方向回転駆動の入力又は往復駆動の入力により、正回転又は逆回転する二方向回転出力機構である。即ち、入力装置（１１）は、ペダル、クランク及び二方向回転する伝動ホイールシステムによって構成され、又はハンドル、ハンドグリップ及び二方向回転する伝動ホイールシステムによって構成される。入力装置（１１）は、人力により二方向回転駆動装置によって構成されることを含む。
【００３７】
第一駆動回転方向の運動エネルギー及び第二駆動回転方向の入力運動エネルギーは、足の力であり、入力装置（１１）の入力端を駆動する。
第一駆動回転方向と第二駆動回転方向は逆方向である。
伝動装置（１３）は、入力装置（１１）からの回転方向が異なる運動エネルギーによって駆動され、また一定回転方向の運動エネルギーを出力することにより、クラッチ装置（７０）の入力端を駆動する。クラッチ装置（７０）の出力端は、後段伝動装置（１４）を駆動する。後段伝動装置（１４）の出力端は、負荷ホイールシステム（１５）を駆動し、またクラッチ装置（７０）を通して負荷を切離すことによって、負荷ホイールシステム（１５）が逆走して反転駆動をするとき、駆動キャリアがロックされることを避けることができる。
【００３８】
伝動装置（１３）内部の伝動ユニットは、歯車セット、磨擦ホイールシステム、チェーン及びチェーンホイールシステム、ベルト及びベルトプーリシステム、伝動クランク及びホイールシステム、流体伝動装置、電磁力伝動装置の一種又はそれ以上によって構成される。
【００３９】
伝動装置（１３）の出力端は、クラッチ装置（７０）を駆動する。
伝動装置（１３）が回転方向が異なる第一駆動回転方向と第二駆動回転駆動方向を駆動するとき、出力端に対する入力端の一定回転方向の速度比は、同じか異なる又は可変速比である。
【００４０】
伝動装置（１３）の主な伝動構造及び作動特性は以下の通りである。
第一回転方向と第二回転方向の回転方向は逆である。
第一回転方向により入力端を駆動するとき、第一伝動ホイールシステムを経て出力端を駆動し、第一回転方向へ出力する。
第二回転方向により入力端を駆動するとき、第二伝動ホイールシステムを経て出力端を駆動し、第一回転方向へ出力する。
第一伝動ホイールシステムと第二伝動ホイールシステムとの間に単方向伝動装置を設けることにより、第一伝動ホイールシステムが第一回転方向へ入力し、第一回転方向により出力するとき、第二伝動ホイールシステムの干渉を避ける。
第二伝動ホイールシステムと第一伝動ホイールシステムとの間に単方向伝動装置を設けることにより、第二伝動ホイールシステムが第二回転方向へ入力し第一回転方向により出力するとき、第一伝動ホイールシステムの干渉を避ける。
【００４１】
伝動装置（１３）の出力端は、クラッチ装置（７０）を径方向又は軸方向に駆動し、クラッチ装置（７０）の出力端により後段伝動装置（１４）を駆動し、また後段伝動装置（１４）の出力端により負荷ホイールシステム（１５）を駆動することにより、負荷ホイールシステム（１５）が逆走して反転駆動をするとき、クラッチ装置（７０）を通して負荷を切離すことによって、二回転方向の入力また回転方向不変の出力であるホイールシステム構造が剛性的にロックされるのを避けることができる。
【００４２】
クラッチ装置（７０）は、トルク又は遠心力により作動され、人力、機械力、空気力、流力又は電磁力によって駆動され、締結又はリリースする機構装置である。
後段伝動装置（１４）は、固定速比又は可変速比の歯車セット、ベルト式、摩擦式等の一種又はそれ以上によって構成され、またクラッチ装置（７０）の出力端によって駆動され、またその出力端により負荷ホイールシステム（１５）を駆動する。
負荷ホイールシステム（１５）は、後段伝動装置（１４）の出力端によって駆動され、更に負荷ホイールシステム（１５）と結合するキャリアを駆動する。
【００４３】
図５は、図３の入力装置（１１）と伝動装置（１３）との間に前置伝動装置（１２）が追加設置された駆動キャリアを示すブロック模式図である。
図５に示すように、駆動キャリアの構成を示す模式図は、足踏キャリアのコンポーネント及び機体（６００）を備え、その主な構成は以下の通りである。
【００４４】
入力装置（１１）は、足踏みを通して、正回転又は逆回転する二方向回転駆動の入力又は往復駆動の入力により、正回転又は逆回転する二方向回転出力機構である。即ち、入力装置（１１）は、ペダル、クランク及び二方向回転する伝動ホイールシステムによって構成され、又はハンドル、ハンドグリップ及び二方向回転する伝動ホイールシステムによって構成される。入力装置（１１）は人力により二方向回転駆動装置によって構成されることを含む。
【００４５】
第一駆動回転方向の運動エネルギー及び第二駆動回転方向の入力運動エネルギーは、足の力であり、入力装置（１１）の入力端を駆動する。
第一駆動回転方向と第二駆動回転方向は逆方向である。
前置伝動装置（１２）は、固定速比又は可変速比の歯車式、ベルト式、摩擦式等の一種又はそれ以上の回転伝動構造によって構成されることを含む。
前置伝動装置（１２）は入力装置（１１）によって駆動され、その出力する回転運動エネルギーにより伝動装置（１３）を駆動する。
【００４６】
伝動装置（１３）は、前置伝動装置（１２）の回転方向が異なる運動エネルギーによって駆動され、また一定回転方向の運動エネルギーを出力する。伝動装置（１３）の出力端は後段伝動装置（１４）を駆動し、後段伝動装置（１４）の出力端はクラッチ装置（７０）を駆動する。更にクラッチ装置（７０）の出力端は負荷ホイールシステム（１５）を駆動する。また、クラッチ装置（７０）を通して負荷を切離すことによって、負荷ホイールシステム（１５）が逆走して反転駆動をするとき、駆動キャリアがロックされることを避ける。
【００４７】
伝動装置（１３）内部の伝動ユニットは、歯車セット、磨擦ホイールシステム、チェーン及びチェーンホイールシステム、ベルト及びベルトプーリシステム、伝動クランク及びホイールシステム、流体伝動装置、電磁力伝動装置の一種又はそれ以上によって構成される。
【００４８】
伝動装置（１３）の出力端により後段伝動装置（１４）を駆動してから、更に後段伝動装置（１４）の出力端によりクラッチ装置（７０）を駆動する。
伝動装置（１３）が、回転方向が異なる第一駆動回転方向と第二駆動回転駆動方向を駆動するとき、出力端に対する入力端の一定回転方向の速度比は、同じか異なる又は可変速比である。
【００４９】
伝動装置（１３）の主な伝動構造及び作動特性は以下の通りである。
第一回転方向と第二回転方向の回転方向は逆である。
第一回転方向により入力端を駆動するとき、第一伝動ホイールシステムを経て出力端を駆動し、第一回転方向へ出力することができる。
第二回転方向により入力端を駆動するとき、第二伝動ホイールシステムを経て出力端を駆動し、第一回転方向へ出力することができる。
第一伝動ホイールシステムと第二伝動ホイールシステムとの間に単方向伝動装置を設けることにより、第一伝動ホイールシステムが第一回転方向へ入力し、第一回転方向により出力するとき、第二伝動ホイールシステムの干渉を避ける。
第二伝動ホイールシステムと第一伝動ホイールシステムとの間に単方向伝動装置を設けることにより、第二伝動ホイールシステムが第二回転方向へ入力し第一回転方向により出力するとき、第一伝動ホイールシステムの干渉を避ける。
【００５０】
伝動装置（１３）の出力端により後段伝動装置（１４）を駆動し、クラッチ装置（７０）を径方向又は軸方向に駆動することにより、負荷ホイールシステム（１５）が逆走して反転駆動をするとき、クラッチ装置（７０）を通して負荷を切離すことによって、二回転方向の入力また回転方向不変の出力であるホイールシステム構造が剛性的にロックされるのを避けることができる。
【００５１】
クラッチ装置（７０）は、トルク又は遠心力により作動され、人力、機械力、空気力、流力又は電磁力によって駆動され、締結又はリリースする機構装置である。
後段伝動装置（１４）は固定速比又は可変速比の歯車式、ベルト式、摩擦式等の一種又はそれ以上の回転伝動構造によって構成され、伝動装置（１３）の出力端に駆動され、またその出力端によりクラッチ装置（７０）を駆動する。
負荷ホイールシステム（１５）は、クラッチ装置（７０）の出力端によって駆動され、更に負荷ホイールシステム（１５）と結合するキャリアを駆動する。
【００５２】
図６は、図４の入力装置（１１）と伝動装置（１３）との間に前置伝動装置（１２）が追加設置された駆動キャリアを示すブロック模式図である。
図６に示すように、駆動キャリアの構成を示す模式図は、足踏キャリアのコンポーネント及び機体（６００）を備え、その主な構成は以下の通りである。
【００５３】
入力装置（１１）は、足踏みを通して、正回転又は逆回転する二方向回転駆動の入力又は往復駆動の入力により、正回転又は逆回転する二方向回転出力機構である。即ち、入力装置（１１）は、ペダル、クランク及び二方向回転する伝動ホイールシステムによって構成され、又はハンドル、ハンドグリップ及び二方向回転する伝動ホイールシステムによって構成される。また上記は人力により二方向回転駆動装置によって構成されることを含む。
【００５４】
第一駆動回転方向の運動エネルギー及び第二駆動回転方向の入力運動エネルギーは、足の力であり、入力装置（１１）の入力端を駆動する。
第一駆動回転方向と第二駆動回転方向は逆方向である。
【００５５】
前置伝動装置（１２）は、固定速比又は可変速比の歯車式、ベルト式、摩擦式等の一種又はそれ以上の回転伝動構造によって構成されることを含む。
前置伝動装置（１２）は入力装置（１１）によって駆動され、その出力する回転運動エネルギーにより伝動装置（１３）を駆動する。
【００５６】
伝動装置（１３）は、前置伝動装置（１２）の回転方向が異なる運動エネルギーによって駆動され、また一定回転方向の運動エネルギーを出力する。伝動装置（１３）の出力端は後段伝動装置（１４）を駆動し、後段伝動装置（１４）の出力端はクラッチ装置（７０）を駆動してから、更にクラッチ装置（７０）の出力端は負荷ホイールシステム（１５）を駆動する。また、伝動装置（１３）は、クラッチ装置（７０）を通して負荷を切離すことによって、負荷ホイールシステム（１５）が逆走して反転駆動をするとき、駆動キャリアがロックされることを避ける。
【００５７】
伝動装置（１３）内部の伝動ユニットは、歯車セット、磨擦ホイールシステム、チェーン及びチェーンホイールシステム、ベルト及びベルトプーリシステム、伝動クランク及びホイールシステム、流体伝動装置、電磁力伝動装置の一種又はそれ以上によって構成される。
【００５８】
伝動装置（１３）の出力端は、クラッチ装置（７０）を駆動する。
伝動装置（１３）が、回転方向が異なる第一駆動回転方向と第二駆動回転駆動方向を駆動するとき、出力端に対する入力端の一定回転方向の速度比は、同じか異なる又は可変速比である。
【００５９】
伝動装置（１３）の主な伝動構造及び作動特性は以下の通りである。
第一回転方向と第二回転方向の回転方向は逆である。
第一回転方向により入力端を駆動するとき、第一伝動ホイールシステムを経て出力端を駆動し、第一回転方向へ出力することができる。
第二回転方向により入力端を駆動するとき、第二伝動ホイールシステムを経て出力端を駆動し、第一回転方向へ出力することができる。
第一伝動ホイールシステムと第二伝動ホイールシステムとの間に単方向伝動装置を設けることにより、第一伝動ホイールシステムが第一回転方向へ入力し、第一回転方向により出力するとき、第二伝動ホイールシステムの干渉を避ける。
第二伝動ホイールシステムと第一伝動ホイールシステムとの間に単方向伝動装置を設けることにより、第二伝動ホイールシステムが第二回転方向へ入力し第一回転方向により出力するとき、第一伝動ホイールシステムの干渉を避ける。
【００６０】
伝動装置（１３）の出力端によりクラッチ装置（７０）を径方向又は軸方向に駆動することによって、負荷ホイールシステム（１５）が逆走して反転駆動をするとき、クラッチ装置（７０）を通して負荷を切離すことによって、二回転方向の入力また回転方向不変の出力であるホイールシステム構造が剛性的にロックされるのを避けることができる。
【００６１】
クラッチ装置（７０）は、トルク又は遠心力により作動され、人力、機械力、空気力、流力又は電磁力によって駆動され、締結又はリリースする機構装置である。
後段伝動装置（１４）は、固定速比又は可変速比の歯車セット、ベルト式、摩擦式等の一種又はそれ以上によって構成され、またクラッチ装置（７０）の出力端によって駆動され、またその出力端により負荷ホイールシステム（１５）を駆動する。
負荷ホイールシステム（１５）は、後段伝動装置（１４）の出力端によって駆動され、更に負荷ホイールシステム（１５）と結合するキャリアを駆動する。
【００６２】
上記の図１〜図６の実施例を更に一歩進ませ、伝動系統のクラッチ装置（７０）の入力端に単方向伝動装置（８０）を設置することにより、回転運動エネルギーをクラッチ装置（７０）入力端へ伝輸する。
【００６３】
説明は以下の通りである。
図７は、図１の伝動装置（１３）の出力端とクラッチ装置（７０）の入力端との間に単方向伝動装置（８０）が追加設置された駆動キャリアを示すブロック模式図である。
図７に示すように、伝動装置（１３）の出力端とクラッチ装置（７０）の入力端との間に単方向伝動装置（８０）を追加設置する。
【００６４】
図８は、図２の伝動装置（１３）の出力端とクラッチ装置（７０）の入力端との間に単方向伝動装置（８０）が追加設置された駆動キャリアを示すブロック模式図である。
図８に示すように、伝動装置（１３）の出力端とクラッチ装置（７０）の入力端との間に単方向伝動装置（８０）を追加設置する。
【００６５】
図９は、図３の後段伝動装置（１４）の出力端とクラッチ装置（７０）の入力端との間に単方向伝動装置（８０）が追加設置された駆動キャリアを示すブロック模式図である。
図９に示すように、後段伝動装置（１４）の出力端とクラッチ装置（７０）の入力端との間に単方向伝動装置（８０）を追加設置する。
【００６６】
図１０は、図４の伝動装置（１３）の出力端とクラッチ装置（７０）の入力端との間に単方向伝動装置（８０）が追加設置された駆動キャリアを示すブロック模式図である。
図１０に示すように、伝動装置（１３）の出力端とクラッチ装置（７０）の入力端との間に単方向伝動装置（８０）を追加設置する。
【００６７】
図１１は、図５の後段伝動装置（１４）の出力端とクラッチ装置（７０）の入力端との間に単方向伝動装置（８０）が追加設置された駆動キャリアを示すブロック模式図である。
図１１に示すように、後段伝動装置（１４）の出力端とクラッチ装置（７０）の入力端との間に単方向伝動装置（８０）を追加設置する。
【００６８】
図１２は、図６の伝動装置（１３）の出力端とクラッチ装置（７０）の入力端との間に単方向伝動装置（８０）が追加設置された駆動キャリアを示すブロック模式図である。
図１２に示すように、伝動装置（１３）の出力端とクラッチ装置（７０）の入力端との間に単方向伝動装置（８０）を追加設置する。
【００６９】
上記の図１〜図６の実施例を更に一歩進ませ、伝動系統の負荷ホイールシステム（１５）の入力端に単方向伝動装置（８０）を設置することにより、回転運動エネルギーを負荷ホイールシステム（１５）の入力端へ伝輸する。
説明は以下の通りである。
【００７０】
図１３は、図１のクラッチ装置（７０）の出力端と負荷ホイールシステム（１５）の入力端との間に単方向伝動装置（８０）が追加設置された駆動キャリアを示すブロック模式図である。
図１３に示すように、クラッチ装置（７０）の出力端と負荷ホイールシステム（１５）の入力端との間に単方向伝動装置（８０）を追加設置する。
【００７１】
図１４は、図２のクラッチ装置（７０）の出力端と負荷ホイールシステム（１５）の入力端との間に単方向伝動装置（８０）が追加設置された駆動キャリアを示すブロック模式図である。
図１４に示すように、クラッチ装置（７０）の出力端と負荷ホイールシステム（１５）の入力端との間に単方向伝動装置（８０）を追加設置する。
【００７２】
図１５は、図３のクラッチ装置（７０）出力端と負荷ホイールシステム（１５）入力端との間に単方向伝動装置（８０）が追加設置された駆動キャリアを示すブロック模式図である。
図１５に示すように、クラッチ装置（７０）出力端と負荷ホイールシステム（１５）入力端との間に単方向伝動装置（８０）を追加設置する。
【００７３】
図１６は、図４の後段伝動装置（１４）の出力端と負荷ホイールシステム（１５）の入力端との間に単方向伝動装置（８０）が追加設置された駆動キャリアを示すブロック模式図である。
図１６に示すように、後段伝動装置（１４）の出力端と負荷ホイールシステム（１５）の入力端との間に単方向伝動装置（８０）を追加設置する。
【００７４】
図１７は、図５のクラッチ装置（７０）出力端と負荷ホイールシステム（１５）入力端との間に単方向伝動装置（８０）が追加設置された駆動キャリアを示すブロック模式図である。
図１７に示すように、クラッチ装置（７０）出力端と負荷ホイールシステム（１５）入力端との間に単方向伝動装置（８０）を追加設置する。
【００７５】
図１８は、図６の後段伝動装置（１４）の出力端と負荷ホイールシステム（１５）の入力端との間に単方向伝動装置（８０）が追加設置された駆動キャリアを示すブロック模式図である。
図１８に示すように、後段伝動装置（１４）の出力端と負荷ホイールシステム（１５）の入力端との間に単方向伝動装置（８０）を追加設置する。
【００７６】
上記の図１〜図１８の実施例の中に、本実施例を構成する駆動キャリアのユニットを含む入力装置（１１）、前置伝動装置（１２）、伝動装置（１３）、後段伝動装置（１４）、単方向伝動装置（８０）クラッチ装置（７０）、負荷ホイールシステム（１５）は、同一構造、その中一部のユニットは同一構造、一部のユニットを別々に設置、又は各ユニットを別々に設置することを含む。
【符号の説明】
【００７７】
１１：入力装置
１２：前置伝動装置
１３：伝動装置
１４：後段伝動装置
１５：負荷ホイールシステム
７０：クラッチ装置
８０：単方向伝動装置
６００：機体
【図１】
2014181027.tif 000003
【図２】
2014181027.tif 000004
【図３】
2014181027.tif 000005
【図４】
2014181027.tif 000006
【図５】
2014181027.tif 000007
【図６】
2014181027.tif 000008
【図７】
2014181027.tif 000009
【図８】
2014181027.tif 000010
【図９】
2014181027.tif 000011
【図１０】
2014181027.tif 000012
【図１１】
2014181027.tif 000013
【図１２】
2014181027.tif 000014
【図１３】
2014181027.tif 000015
【図１４】
2014181027.tif 000016
【図１５】
2014181027.tif 000017
【図１６】
2014181027.tif 000018
【図１７】
2014181027.tif 000019
【図１８】
2014181027.tif 000020
【外国語明細書】
2014181027.tif 000021
2014181027.tif 000022
2014181027.tif 000023
2014181027.tif 000024
2014181027.tif 000025
2014181027.tif 000026
2014181027.tif 000027
2014181027.tif 000028
2014181027.tif 000029
2014181027.tif 000030
2014181027.tif 000031
2014181027.tif 000032
2014181027.tif 000033
2014181027.tif 000034
2014181027.tif 000035
2014181027.tif 000036
2014181027.tif 000037
2014181027.tif 000038
2014181027.tif 000039
2014181027.tif 000040
2014181027.tif 000041
2014181027.tif 000042
2014181027.tif 000043
2014181027.tif 000044
2014181027.tif 000045
2014181027.tif 000046
2014181027.tif 000047
2014181027.tif 000048
2014181027.tif 000049
2014181027.tif 000050
2014181027.tif 000051
2014181027.tif 000052
2014181027.tif 000053
2014181027.tif 000054
2014181027.tif 000055
2014181027.tif 000056
2014181027.tif 000057
2014181027.tif 000058
2014181027.tif 000059
2014181027.tif 000060
2014181027.tif 000061
2014181027.tif 000062
2014181027.tif 000063
2014181027.tif 000064
2014181027.tif 000065
2014181027.tif 000066
2014181027.tif 000067
2014181027.tif 000068
2014181027.tif 000069
2014181027.tif 000070
2014181027.tif 000071
2014181027.tif 000072
2014181027.tif 000073
2014181027.tif 000074
2014181027.tif 000075
2014181027.tif 000076
2014181027.tif 000077
2014181027.tif 000078